(57)【要約】【課題】本発明は、溶接ワイヤからまり防止装置に関するものである。【解決手段】本発明による溶接ワイヤからまり防止装置は、ワイヤ収納容器に収納された溶接ワイヤ巻線体の上端面に搭載されるワイヤ押さえ部材と、上記ワイヤ押さえ部材の内側に位置し上記溶接ワイヤ巻線体から引き出される溶接ワイヤをガイドするワイヤガイド部材と、上記ワイヤ押さえ部材と上記ワイヤガイド部材が独立的に動くように上記ワイヤ押さえ部材とワイヤガイド部材を連結する２つ以上の連結部材を含む。【選択図】図３
2009107021.tif 000002
【特許請求の範囲】
【請求項１】
ワイヤ収納容器４０に収納された溶接ワイヤ巻線体２０の上端面に搭載されるワイヤ押さえ部材１１と、
前記ワイヤ押さえ部材１１の内側に位置し前記溶接ワイヤ巻線体２０から引き出される溶接ワイヤＷをガイドするワイヤガイド部材１２と、
前記ワイヤ押さえ部材１１と前記ワイヤガイド部材１２が独立的に動くように前記ワイヤ押さえ部材１１とワイヤガイド部材１２を連結する２つ以上の連結部材１３を含む溶接ワイヤからまり防止装置。
【請求項２】
前記ワイヤ押さえ部材１１または前記ワイヤガイド部材１２はリング形状からなることを特徴とする請求項１に記載の溶接ワイヤからまり防止装置。
【請求項３】
前記ワイヤ押さえ部材１１の内側の縁と前記ワイヤガイド部材１２の外側の縁は離隔されることを特徴とする請求項１に記載の溶接ワイヤからまり防止装置。
【請求項４】
前記ワイヤガイド部材１２の下面は、溶接ワイヤＷの引き出し時に引き出し抵抗が低減されるように湾曲されたことを特徴とする請求項１に記載の溶接ワイヤからまり防止装置。
【請求項５】
前記各連結部材１３は、弾性材質からなることを特徴とする請求項１に記載の溶接ワイヤからまり防止装置。
【請求項６】
前記各連結部材１３は、前記ワイヤ押さえ部材１１の上面と前記ワイヤガイド部材１２の上面に連結されることを特徴とする請求項１に記載の溶接ワイヤからまり防止装置。
【請求項７】
前記ワイヤ押さえ部材１１と前記ワイヤガイド部材１２は、前記各連結部材１３で緩く連結されることを特徴とする請求項１に記載の溶接ワイヤからまり防止装置。
【請求項８】
前記ワイヤ巻線体２０の中心部には中空が形成され、前記ワイヤガイド部材１２は前記ワイヤ巻線体２０の中空に配置されることを特徴とする請求項１に記載の溶接ワイヤからまり防止装置。
【請求項９】
前記ワイヤ収納容器４０の内部に上下方向に従って配置され、前記ワイヤ押さえ部材１１が移動可能に結合される２つ以上の昇降ガイド３０をさらに含むことを特徴とする請求項１に記載の溶接ワイヤからまり防止装置。
【請求項１０】
前記昇降ガイド３０は、前記ワイヤ収納容器４０の内面とワイヤ巻線体２０の外面の間の空間に配置され前記ワイヤ巻線体２０の上側を拘束することによりワイヤ巻線体２０の溶接ワイヤＷが上側に跳ね上がることを防ぐことを特徴とする請求項９に記載の溶接ワイヤからまり防止装置。
【請求項１１】
前記ワイヤ押さえ部材１１には、前記昇降ガイド３０が挿入されるように通過溝１４が形成されることを特徴とする請求項９に記載の溶接ワイヤからまり防止装置。
【発明の詳細な説明】
【技術分野】
【０００１】
本発明は、溶接ワイヤからまり防止装置に関するものである。
【背景技術】
【０００２】
一般的に溶接作業の効率性を高めるためには、連続溶接ができるように大容量の溶接ワイヤ収納容器に収納された溶接ワイヤが広く使用される。
【０００３】
図１は従来の溶接ワイヤからまり防止装置が装着されたワイヤ収納容器を図示した部分切開斜視図で、図２は従来の溶接ワイヤからまり防止装置が装着されたワイヤ収納容器から溶接ワイヤが引き出される状態を図示した部分切開斜視図である。
【０００４】
図１及び図２を参照すると、上記溶接ワイヤＷは円筒型のワイヤ収納容器４００に巻線され収納される。上記巻線された溶接ワイヤＷはワイヤ収納容器４００内で円筒型の溶接ワイヤ巻線体２００をなす。
【０００５】
上記溶接ワイヤ巻線体２００の中空部を通じて溶接ワイヤＷが引き出され連続的に溶接装置に溶接ワイヤＷが供給されるようになる。
【０００６】
上記溶接ワイヤＷは、ワイヤ収納容器４００内に巻線時に捻りが与えられ螺旋状に巻線され収納される。従って、上記溶接ワイヤＷが引き出されるときには元通りに弾性回復するため、捻りがとれながら引き出される。
【０００７】
上記捻りが与えられながら巻線された溶接ワイヤＷを制御しないと、弾性回復しながら引き出されるワイヤＷとその後続ワイヤＷ’が同時に跳ね上がり互いが絡まることがある。
【０００８】
そこで、溶接ワイヤ巻線体２００の上端部にリング形状の溶接ワイヤからまり防止装置１００を搭載して押さえることにより、引き出される溶接ワイヤＷとその後続ワイヤＷ’が同時に跳ね上がり互いが絡まることを防いだ。
【０００９】
上記溶接ワイヤからまり防止装置１００は１つのリング形状で形成されるため、上記溶接ワイヤＷが引き出されるとき溶接ワイヤからまり防止装置１００の全体から引き出し抵抗を受ける。従って、上記溶接ワイヤＷがワイヤ収納容器４００から容易に且つ安定的に引き出されなくなる可能性がある。
【００１０】
また、たとえ溶接ワイヤＷが引き出し抵抗を克服して引き出されたとしても、溶接ワイヤＷが外部に引き出されるとき溶接ワイヤからまり防止装置１００が多少上に引き上がるようになる。この際、引き出される溶接ワイヤＷ部分とその後続部分の溶接ワイヤＷ’が同時に引き出され互いが絡まる場合があった。
【００１１】
このように、溶接ワイヤＷが溶接装置に安定的に供給されにくい場合があり、ワイヤ引き出し時の引き出し抵抗が大きいために、優れた溶接ビード形状（ｓｈａｐｅ  ｏｆ  ｗｅｌｄ  ｂｅａｄ）を得ることに限界があった。
【発明の開示】
【発明が解決しようとする課題】
【００１２】
上記の諸般の問題点を解決するために、本発明の目的は溶接ワイヤがワイヤ収納容器から引き出されるときに、引き出し抵抗が低減されるようにし容易に引き出されることができる溶接ワイヤからまり防止装置を提供することである。
【００１３】
本発明の他の目的は、溶接ワイヤの引き出し時に後続的に引き出される溶接ワイヤが同時に引き出され互いが絡まることを防ぐことができる溶接ワイヤからまり防止装置を提供することである。
【課題を解決するための手段】
【００１４】
上記目的を達成するために、本発明の一実施例によると、ワイヤ収納容器に収納された溶接ワイヤ巻線体の上端面に搭載されるワイヤ押さえ部材と、上記ワイヤ押さえ部材の内側に位置し、上記溶接ワイヤ巻線体から引き出される溶接ワイヤをガイドするワイヤガイド部材と、上記ワイヤ押さえ部材と上記ワイヤガイド部材が独立的に動くように上記ワイヤ押さえ部材とワイヤガイド部材を連結する２つ以上の連結部材を含む。
【００１５】
上記ワイヤ押さえ部材または上記ワイヤガイド部材はリング形状を有することができる。
【００１６】
上記ワイヤ押さえ部材の内側の縁と上記ワイヤガイド部材の外側の縁は離隔されることができる。
【００１７】
上記ワイヤガイド部材の下面は、溶接ワイヤＷの引き出し時に引き出し抵抗が低減されるように湾曲されることができる。
【００１８】
上記各連結部材は弾性材質からなることができる。
【００１９】
上記各連結部材は、上記ワイヤ押さえ部材の上面と上記ワイヤガイド部材の上面に連結されることができる。
【００２０】
前記ワイヤ押さえ部材と前記ワイヤガイド部材は、前記各連結部材で緩く連結されることができる。
【００２１】
上記ワイヤ巻線体の中心部には中空が形成され、上記ワイヤガイド部材は上記ワイヤ巻線体の中空に配置されることができる。
【００２２】
上記ワイヤ収納容器の内部に上下方向に配置され、上記ワイヤ押さえ部材が移動可能に結合される２つ以上の昇降ガイドをさらに含むことができる。
【００２３】
上記昇降ガイドは上記ワイヤ収納容器の内面とワイヤ巻線体の外面の間の空間に配置され上記ワイヤ巻線体の上側を拘束することによりワイヤ巻線体の溶接ワイヤが上側に跳ね上がることを防ぐことができる。
【００２４】
上記昇降ガイドはバンド形態で形成され、上記昇降ガイドの両端部はワイヤ収納容器の上下側に固定されることができる。
【００２５】
上記ワイヤ押さえ部材には上記昇降ガイドが挿入されるように通過溝が形成されることができる。
【発明を実施するための最良の形態】
【００２６】
以下、本発明の目的が具体的に実現できる本発明の好ましい実施例を添付の図面を参照して説明する。
【００２７】
図３は本発明による溶接ワイヤからまり防止装置の一実施例が装着されたワイヤ収納容器を図示した部分切開斜視図で、図４は溶接ワイヤからまり防止装置を図示した斜視図で、図５は溶接ワイヤからまり防止装置を図示した断面図である。
【００２８】
図３乃至図５を参照すると、溶接ワイヤからまり防止装置１０はワイヤ収納容器４０の内部に収納された溶接ワイヤ巻線体２０の上端面に搭載される。上記溶接ワイヤ巻線体２０は溶接ワイヤＷがワイヤ収納容器４０内に巻線時に捻りが与えられた状態で螺旋状に巻線されてなる。このような溶接ワイヤ巻線体２０は中心部に中空が形成された円筒型からなることができる。
【００２９】
上記溶接ワイヤからまり防止装置は、ワイヤ収納容器４０に巻線された溶接ワイヤ巻線体２０を押さえるように溶接ワイヤ巻線体２０の上端面に搭載されるワイヤ押さえ部材１１と、上記ワイヤ押さえ部材１１の内側に位置し上記溶接ワイヤ巻線体２０から引き出される溶接ワイヤＷをガイドするワイヤガイド部材１２と、上記ワイヤ押さえ部材１１とワイヤガイド部材１２が独立的に動くように上記ワイヤ押さえ部材１１とワイヤガイド部材１２を連結する２つ以上の連結部材１３を含むことができる。
【００３０】
従って、上記ワイヤ巻線体２０の上端面に位置するワイヤ押さえ部材１１と連結部材１３により溶接ワイヤが弾性回復により跳ね上がることを防ぐことができる。また、上記ワイヤガイド部材１２はワイヤ押さえ部材１１と独立的に動くことができるように設置されるため、上記溶接ワイヤＷが溶接ワイヤ巻線体２０の中空部に引き出されるときに上記ワイヤガイド部材１２のみが引き出されるワイヤと接触することができる。従って、上記溶接ワイヤＷは引き出し抵抗が大幅に減少された状態でワイヤ収納容器４０から引き出されることができる。
【００３１】
上記ワイヤ押さえ部材１１とワイヤガイド部材１２は夫々リング形状で形成されることができる。上記ワイヤ押さえ部材１１がリング形状で形成されることにより円筒型のワイヤ巻線体２０の上端部を十分に押さえることができる。また、上記ワイヤガイド部材１２の内周面が円形で形成されるため、上記ワイヤ巻線体２０から引き出される溶接ワイヤの引き出し抵抗が減少され上記溶接ワイヤＷが円滑に引き出されることができる。
【００３２】
また、上記ワイヤ押さえ部材１１の内側の縁と上記ワイヤガイド部材１２の外側の縁は離隔されることができる。この際、上記ワイヤ押さえ部材１１の内径はワイヤガイド部材１２の外径より大きいため、上記ワイヤ押さえ部材１１の内側にワイヤガイド部材１２が位置されることができる。
【００３３】
そして、上記ワイヤ押さえ部材１１とワイヤガイド部材１２の間は柔軟性のある材質からなる連結部材１３で緩く連結されることができる。従って、上記溶接ワイヤＷが引き出されるときに上記ワイヤガイド部材１２が溶接ワイヤＷの引き出し力により動いても、上記ワイヤ押さえ部材１１は動かなくなる。そのため、上記ワイヤ巻線体２０の上端部を続けて押さえるので、上記ワイヤ巻線体２０の溶接ワイヤＷが弾性回復により跳ね上がることを防ぐことができる。
【００３４】
上記連結部材１３は柔軟性のある如何なる材料も適用が可能である。上記連結部材１３は弾性（伸縮性）のある弾性材料で形成されるため、上記ワイヤガイド部材１２とワイヤ押さえ部材１１がより自然に独立的に動くことができるようにすることができる。このような連結部材には一定の幅を有する弾性バンド形態が適用されることができる。
【００３５】
上記ワイヤ押さえ部材１１とワイヤガイド部材１２の形状や連結部材１３の形状または連結位置は多様に変更可能である。
【００３６】
上記ワイヤ押さえ部材１１はワイヤ収納容器４０の内壁に近く位置し、上記ワイヤガイド部材１２はワイヤ収納容器４０の中央側に近く位置する。従って、上記溶接ワイヤＷが引き出されないときはワイヤ押さえ部材１１と連結部材１３及びワイヤガイド部材１２がワイヤ巻線体２０を押さえているため、溶接ワイヤ巻線体２０から溶接ワイヤＷが弾性回復により跳ね上がることを防ぐようになる。
【００３７】
上記ワイヤ押さえ部材１１とワイヤガイド部材１２は上記ワイヤ巻線体２０の上端面から溶接ワイヤＷが引き出されることにより下降するように設置されることができる。この際、上記ワイヤ押さえ部材１１の外側の縁は上記ワイヤ収納容器４０の内面と所定間隔離隔される。従って、上記ワイヤ巻線体２０から溶接ワイヤＷが引き出されていくことにより上記ワイヤ巻線体２０の高さが低くなっても上記ワイヤ押さえ部材１１とワイヤガイド部材１２がワイヤ巻線体２０の上端面を続けて押さえるようになる。
【００３８】
上記のように構成された本発明の一実施例の作用に関して説明する。
【００３９】
図６は溶接ワイヤがワイヤ収納容器から引き出されるときの作用を示す断面図である。
【００４０】
図６を参照すると、溶接ワイヤＷが溶接ワイヤ巻線体２０から矢印Ａ方向に引き出されると、引き出される溶接ワイヤＷとこのワイヤＷに接するワイヤガイド部材１２の部分は上記溶接ワイヤＷが引き出される力により図６の矢印Ｂ方向に力を受ける。
【００４１】
この際、引き出される溶接ワイヤＷとこのワイヤＷに接するワイヤガイド部材１２の部分は上側に持ち上がるため引き出される溶接ワイヤＷとワイヤガイド部材１２の引き出し抵抗が低減される。
【００４２】
また、引き出される溶接ワイヤＷの反対側のワイヤガイド部材１２はワイヤ収納容器４０の中央側に動く。この際、上記反対側のワイヤガイド部材１２は溶接ワイヤ巻線体２０の中空部に下がるようになる。従って、上記反対側のワイヤガイド部材１２と連結部材１３が溶接ワイヤ巻線体２０を包みながら押さえるようになる。この際、引き出されるべきでない後続部分の溶接ワイヤＷが引き出される溶接ワイヤＷ部分とともに引き出され絡まることを防ぐことができる。
【００４３】
上記のように溶接ワイヤが絡まることを防ぎ、円滑に引き出されるようにすることにより、溶接ビードの形状を美麗にすることができる。
【００４４】
次に、本発明による溶接ワイヤからまり防止装置のさらに他の実施例に関して説明する。
【００４５】
図７は本発明による溶接ワイヤからまり防止装置のさらに他の実施例を図示した断面図である。
【００４６】
図７を参照すると、上記ワイヤガイド部材１２は上記ワイヤ巻線体２０の中空に配置されることができる。この際、上記ワイヤガイド部材１２の下面はワイヤ巻線体２０の上端面より下に配置されることができる。
【００４７】
上記ワイヤガイド部材１２がワイヤ巻線体２０の中空に配置されるため、上記連結部材１３が上記ワイヤ巻線体２０の内周面の上端部を押さえるようになる。この構造はワイヤガイド部材１２がワイヤ巻線体２０の上面に配置される構造に比べワイヤ巻線体２０の内周面の上端部をより強く押さえることができる。従って、上記ワイヤ巻線体２０の内周面側から溶接ワイヤＷが解かれて絡まることを防ぐことができる。
【００４８】
図８は、本発明による溶接ワイヤからまり防止装置の他の実施例を図示した断面図である。
【００４９】
図８を参照すると、上記ワイヤガイド部材１２の下面は湾曲するように形成されることができる。従って、上記溶接ワイヤＷがワイヤ収納容器４０から引き出されるとき、上記ワイヤガイド部材１２の下面により溶接ワイヤＷの引き出し抵抗がより低減されることができる。そのため、上記溶接ワイヤＷの引き出しがさらに容易に行われることができる。
【００５０】
上記の構成を除いては上述のからまり防止装置と実質的に同一であるため、その説明を省略する。
【００５１】
次に、本発明による溶接ワイヤからまり防止装置のさらに他の実施例に関して説明する。
【００５２】
図９は、本発明による溶接ワイヤからまり防止装置のさらに他の実施例を図示した断面図である。
【００５３】
図９を参照すると、連結部材１３はワイヤ押さえ部材１１またはワイヤガイド部材１２の上面に連結されることができる。この際、上記連結部材１３が溶接ワイヤ巻線体２０（図６参照）の上端面と離隔されるため、上記連結部材１３が溶接ワイヤＷの引き出し抵抗に作用することを防ぐことができる。
【００５４】
上記連結部材１３はワイヤ押さえ部材１１またはワイヤガイド部材１２の下面や側面、または上面のいずれかにも連結されることができる。上記連結部材１３がワイヤ押さえ部材１１またはワイヤガイド部材１２の下面に連結されると溶接ワイヤＷの引き出し抵抗として作用する可能性はあるが、溶接ワイヤ巻線体２０の上端面をより安定的に押さえることができる。
【００５５】
上記の構成を除いては上述のからまり防止装置と実質的に同一であるため、その説明を省略する。
【００５６】
次に、本発明による溶接ワイヤからまり防止装置のさらに他の実施例に関して説明する。
【００５７】
図１０は本発明による溶接ワイヤからまり防止装置のさらに他の実施例を図示した斜視図で、図１１は溶接ワイヤからまり防止装置がワイヤ収納容器に装着された状態を示す断面図である。
【００５８】
図１０及び図１１を参照すると、上記溶接ワイヤからまり防止装置はワイヤ押さえ部材１１、ワイヤガイド部材１２、連結部材１３及び昇降ガイド３０を含む。
【００５９】
上記ワイヤ押さえ部材１１、ワイヤガイド部材１２及び連結部材１３は上述の一実施例で説明したことと実質的に同一であるため、その説明は省略する。
【００６０】
上記昇降ガイド３０はワイヤ収納容器４０の内部に上下方向に従って配置される。上記ワイヤ押さえ部材１１は上下に移動ができるように上記昇降ガイド３０に結合される。この際、上記ワイヤ押さえ部材１１の外周に昇降ガイド３０が通過できる通過溝１４が形成されることができる。
【００６１】
上記昇降ガイド３０の一方側はワイヤ収納容器４０の内壁の上端部に固定され、上記昇降ガイド３０の他方側はワイヤ収納容器４０の内壁の下端部に固定される。このような昇降ガイドはワイヤ収納容器４０の上端部から下端部まで延長される。このような昇降ガイドはバンド形態で形成されることができる。
【００６２】
上記昇降ガイド３０はワイヤ収納容器４０に典型的には２つ以上設置されることができる。この際、上記昇降ガイド３０はワイヤ収納容器４０の円周方向に従ってほぼ同じ間隔毎に配置されることができる。
【００６３】
上記昇降ガイド３０は上記ワイヤ収納容器４０の内面とワイヤ巻線体２０の外面の間の空間に配置されることができる。この際、上記昇降ガイド３０は上記ワイヤ巻線体２０の上部を拘束するため、上記ワイヤ巻線体２０の溶接ワイヤＷがワイヤ巻線体２０の上側に跳ね上がることを根本的に防ぐことができる。
【００６４】
上記ワイヤ巻線体２０から溶接ワイヤＷが引き出されることにより上記ワイヤ巻線体２０の上端が次第に低くなると上記溶接ワイヤからまり防止装置１０の溶接ワイヤ押さえ部材１１が昇降ガイド３０に従って下へ下降するようになる。
【００６５】
上述の実施例の他にも本発明がその趣旨の範疇から外れない範囲内で他の特定形態で具体化されることができるということは該当技術に通常の知識を有する者には自明である。そのため、上述の実施例は制限的なものではなく、例示的なものであり、これにより本発明は上述の詳細な説明に限定されず、上述の請求項の範疇及びその同等な範囲内で変更されることができる。
【図面の簡単な説明】
【００６６】
【図１】従来の溶接ワイヤからまり防止装置が装着されたワイヤ収納容器を図示した部分切開斜視図である。
【図２】従来の溶接ワイヤからまり防止装置が装着されたワイヤ収納容器から溶接ワイヤが引き出される状態を図示した部分切開斜視図である。
【図３】本発明による溶接ワイヤからまり防止装置の一実施例が装着されたワイヤ収納容器を図示した部分切開斜視図である。
【図４】図３の溶接ワイヤからまり防止装置を図示した斜視図である。
【図５】図３の溶接ワイヤからまり防止装置がワイヤ収納容器に装着された状態を示す断面図である。
【図６】図３の溶接ワイヤがワイヤ収納容器から引き出されるときの作用を示す断面図である。
【図７】本発明による溶接ワイヤからまり防止装置の他の実施例がワイヤ収納容器に装着された状態を示す断面図である。
【図８】本発明による溶接ワイヤからまり防止装置のさらに他の実施例を図示した断面図である。
【図９】本発明による溶接ワイヤからまり防止装置のさらに他の実施例を図示した断面図である。
【図１０】本発明による溶接ワイヤからまり防止装置のさらに他の実施例を図示した斜視図である。
【図１１】図１０の溶接ワイヤからまり防止装置がワイヤ収納容器に装着された状態を示す断面図である。
【符号の説明】
【００６７】
１０、１００…溶接ワイヤからまり防止装置
１１…ワイヤ押さえ部材
１２…ワイヤガイド部材
１３…連結部材
１４…昇降ガイド通過溝
Ｗ、Ｗ’ …溶接ワイヤ
２０、２００…溶接ワイヤ巻線体
３０…昇降ガイド
４０、４００…ワイヤ収納容器
【図１】
2009107021.tif 000003
【図２】
2009107021.tif 000004
【図３】
2009107021.tif 000005
【図４】
2009107021.tif 000006
【図５】
2009107021.tif 000007
【図６】
2009107021.tif 000008
【図７】
2009107021.tif 000009
【図８】
2009107021.tif 000010
【図９】
2009107021.tif 000011
【図１０】
2009107021.tif 000012
【図１１】
2009107021.tif 000013